(57)【要約】【課題】回転ノズルの回転速度を変更することができ、入浴者に、もみ感やたたき感等の異なる施術感を付与することができる風呂用噴流ノズル装置及び風呂装置を提供することである。【解決手段】ノズル収容部材１０のノズル収容部１８内に収納されたコマ体７１には、湯水噴出口３８ａ、３８ｂが設けられている。ノズル収容部材１０は、コマ支持部４６を有するカバー部材７２で閉じられている。コマ支持部４６には調整ねじ７３を螺合させるねじ孔７４が設けてある。調整ねじ７３がねじ孔７４に螺合し、コマ支持部４６を貫通して先端部７３ａが突出し、先端部７３ａがコマ体７１の回転中心６ｂを支持する。調整ねじ７３のねじ込み量を変更すると、カバー部材７２とコマ体７１の間の間隔が変化する。間隔が大きいほど湯水噴出口３８ａ、３８ｂから湯水が噴射され易い。【選択図】図４
2014188226.tif 000002
【特許請求の範囲】
【請求項１】
浴槽壁に固定され、浴槽内の湯を循環させる循環ポンプにより生じる循環流に依り浴槽内の湯に噴流を発生させる風呂用噴流ノズル装置であって、
該噴流ノズル装置は、噴流を浴槽内に噴出する噴流孔を有する回転ノズル本体と、
該回転ノズル本体の一部を遮蔽するカバー部とを備えており、
該回転ノズル本体と該カバー部との距離を調整可能とする隙間調整手段を有することを特徴とする風呂用噴流ノズル装置。
【請求項２】
カバー部には、回転ノズル本体が回転する際における噴流孔の移動軌跡、あるいは噴流孔の移動軌跡と重なる水流障害物があり、前記回転ノズル本体とカバー部との距離を調節することにより、前記噴流孔と水流障害物との距離を変更することができることを特徴とする請求項１に記載の風呂用噴流ノズル装置。
【請求項３】
回転ノズル本体を収容するノズル収容部を有し、回転ノズル本体は、ノズル収容部内にあって自由回転可能であり、
カバー部には、回転ノズル本体の回転中心を保持する中心保持部があり、前記中心保持部が回転ノズル本体の回転中心軸方向に移動可能であることを特徴とする請求項１又は２に記載の風呂用噴流ノズル装置。
【請求項４】
カバー部は、カバー本体と、中心保持部材とがねじ構造により連結されており、ねじを回転することによって中心保持部材が直進移動することを特徴とする請求項１乃至３のいずれかに記載の風呂用噴流ノズル装置。
【請求項５】
請求項１乃至４のいずれかに記載の風呂用噴流ノズル装置が装着されたことを特徴とする風呂装置。
【発明の詳細な説明】
【技術分野】
【０００１】
本発明は、浴槽内に湯水を噴射する風呂用噴流ノズル装置に関するものである。また本発明は、風呂用噴流ノズル装置が取り付けられた風呂装置に関するものである。
【背景技術】
【０００２】
浴槽の内壁から空気を含んだ湯水を噴射する風呂装置が知られている。この種の風呂装置は、「ジェットバス」と称されており、浴槽の内壁に風呂用噴流ノズル装置が取り付けられている。そして循環ポンプで浴槽内の湯水を吸入し、これを加圧すると共に空気を混入させ、風呂用噴流ノズル装置から浴槽内に噴射する。
「ジェットバス」は、肩凝りや腰痛、運動後の筋肉疲労に効果がある。即ち使用者は、浴槽につかり、風呂用噴流ノズル装置から噴射される湯水を凝りや痛みのある箇所に噴射する。その結果、患部の筋肉や筋がほぐれ、凝りや痛みが緩和する。
【０００３】
ここで旧来の風呂用噴流ノズル装置は、湯水噴出口が固定式であり、風呂用噴流ノズル装置からは、一定の方向にのみ、湯水が噴射されるものであった。
これに対して、自動回転式の風呂用噴流ノズル装置が提案されている。
自動回転式の風呂用噴流ノズル装置は、例えば特許文献１に開示された構造を有するものである。
【０００４】
図２３，２４，２５は、特許文献１に開示された風呂用噴流ノズル装置１００の斜視図及び断面図であり、図２６はコマ体１０２の正面図である。
特許文献１に開示された風呂用噴流ノズル装置１００は、図２４，２５の様にノズル収容部１０１を有し、その中にコマ体１０２が回転自在に配されている。そして当該コマ体１０２に湯水導入口１０３ａ，１０３ｂと湯水噴出口１０５ａ，１０５ｂ及びこの両者を繋ぐ湯水通過流路１０６ａ，１０６ｂが設けられている。
特許文献１に開示された風呂用噴流ノズル装置１００では、図２６の様に、湯水導入口１０３ａ，１０３ｂと、湯水噴出口１０５ａ，１０５ｂと、湯水通過流路１０６ａ，１０６ｂが設けられている。即ち湯水導入口１０３ａ，１０３ｂ等は、２個ずつ設けられている。また一連の流路が二組設けられている。
【０００５】
図２６の様に、湯水導入口１０３ａと、湯水噴出口１０５ａは、浴槽内側から見てずれた位置にあり、湯水通過流路１０６ａは、傾斜方向に形成されている。同様に湯水導入口１０３ｂと、湯水噴出口１０５ｂは、浴槽内側から見てずれた位置にあり、湯水通過流路１０６ｂは、傾斜方向に形成されている。
【０００６】
特許文献１に開示された風呂用噴流ノズル装置１００では、図２６の様に、二つの湯水噴出口１０５ａ，１０５ｂは、均等に配置されている。即ち湯水噴出口１０５ａ，１０５ｂは、１８０度離れた位置にあり、湯水噴出口１０５ａと、湯水噴出口１０５ｂとの距離や角度を右回りに計っても左回りに計っても同じ距離及び角度である。言い換えると、湯水噴出口１０５ａと湯水噴出口１０５ｂは、コマ体１０２の回転中心１０７を通過する同一直線上にあり、コマ体１０２の回転中心１０７に対して対称の位置にある。
湯水導入口１０３ａ，１０３ｂについても同様であり、両者は均等に配置されていて、距離や角度を右回りに計っても左回りに計っても同じ距離及び角度である。
湯水通過流路１０６ａ，１０６ｂについても同様であり、両者は均等に配置されていて、距離や角度を右回りに計っても左回りに計っても同じ距離及び角度である。
【０００７】
またノズル収容部１０１の前面には、図２３，２４，２５の様にカバー部材１１０が設けられている。カバー部材１１０は、図２３の様に環状の枠１１１と、直線状のコマ支持部１１２によって構成されている。コマ支持部１１２は、内側の中心がコマ体１０２の回転中心１０７と接する。即ちカバー部材１１０は、コマ体１０２の脱落を防止すると共に、コマ体１０２の回転中心１０７を支持するものである。
【０００８】
特許文献１に開示された風呂用噴流ノズル装置１００では、図２６の様に湯水通過流路１０６ａ，１０６ｂは、傾斜方向に形成されているから、湯水は、実線の矢印の様に、斜め方向に向かって噴射される。そのため水流によって湯水通過流路１０６ａ，１０６ｂにモーメントが発生し、コマ体１０２は、破線の矢印の様に回転する。
即ち特許文献１に開示された風呂用噴流ノズル装置１００は、コマ体１０２が自転しつつ湯水噴出口１０５ａ，１０５ｂから湯水を噴射する。
【先行技術文献】
【特許文献】
【０００９】
【特許文献１】特開２０１２−１７０７６９号公報
【発明の概要】
【発明が解決しようとする課題】
【００１０】
特許文献１に開示された風呂用噴流ノズル装置１００は、自動回転式であり、コマ体１０２が回転して湯水噴出口１０５ａ，１０５ｂが移動し、回転軌跡を描いて湯水を噴射させることができる。
しかしながら、特許文献１に記載の風呂用噴流ノズル装置１００では、コマ体１０２の回転速度（湯水噴出口１０５ａ，１０５ｂの移動速度）は固定であり、回転速度を変更することができない。
即ち特許文献１に開示された風呂用噴流ノズル装置１００は、使用中にコマ体１０２を回転させることができるものの、回転速度を好みに応じて変えることができない。
【００１１】
ここでコマ体１０２の回転速度（湯水噴出口１０５ａ，１０５ｂの移動速度）は、使用感に与える影響が大きく、使用者によって好みの回転速度が異なる。
また同じ人であっても、体調やこり具合によって好まれる回転速度が異なる。
簡単に説明すると、コマ体１０２の回転速度が早い場合は、使用者に「振動感」や「たたき感」を感じさせる。またコマ体１０２の回転速度が遅い場合には、「もみ」や「指圧」に近い使用感が得られる。
即ちコマ体１０２の回転速度が速い場合には、噴流が患部を十分に押し込む前に、噴射位置が移動する。そのため使用者は、「振動感」や「たたき感」を感じる。
一方、「もみ」や「指圧」は、マッサージ師が指で筋肉や筋を強く押し、この状態をしばらく維持することによって行われる。
そのためコマ体１０２の回転速度が遅い場合は、「もみ」や「指圧」感を感じる。
【００１２】
そこで本発明は、コマ体の回転速度を任意に設定することが可能であり、入浴者が「振動感」、「たたき感」、「もみ感」、「指圧感」等の施術感を選択することが可能な風呂用噴流ノズル装置及び風呂装置を提供することを目的としている。
【課題を解決するための手段】
【００１３】
上記した課題を解決するため、鋭意研究を重ねた結果、カバー部材１１０とコマ体１０２との間隔を変更すれば、コマ体１０２の回転速度が変わることが判った。
以下、この理由について説明する。
即ち特許文献１に開示された風呂用噴流ノズル装置１００を使用してみると、コマ体１０２の回転速度（自転速度）は一様ではなく、回転角度によって変化することが分かった。この理由を検討したところ、湯水噴出口１０５ａ，１０５ｂのレイアウトと、カバー部材１１０のコマ支持部１１２のレイアウトの関係に起因するものであることが判った。
即ち、特許文献１に開示された風呂用噴流ノズル装置１００は、湯水を斜め方向に噴射することによってコマ体１０２に回転力を付与している。従って、湯水の噴射量が多い場合にはコマ体１０２は速く回り、湯水の噴射量が少ない場合にはコマ体１０２の回転速度は遅い。
【００１４】
これ対して、特許文献１に開示された風呂用噴流ノズル装置１００では、コマ体１０２の前にカバー部材１１０があり、コマ体１０２が回転する際に、湯水噴出口１０５ａ，１０５ｂがカバー部材１１０のコマ支持部１１２の後ろを通過する。その際に、湯水噴出口１０５ａ，１０５ｂからの水流が阻害され、コマ体１０２を回転させるモーメントが一時的に低下する。従って、湯水噴出口１０５ａ，１０５ｂがカバー部材１１０のコマ支持部１１２の後ろを通過する際、コマ体１０２はゆっくりと回り、コマ支持部１１２を離れるとコマ体１０２の回転速度が早くなる。
【００１５】
そこで本発明者らは、湯水噴出口１０５ａ，１０５ｂの水流の阻害量が増加すれば、コマ体１０２の回転速度が低下し、逆に水流の阻害量が減少すればコマ体１０２の回転速度が増加するのではないかと考えた。
本発明者らは、この仮説を検証するため、カバー部材１１０とコマ体１０２との間の隙間を変えて複数の試作品を作り、水流の阻害量を変えてみた。
結果は予想通りであり、カバー部材１１０とコマ体１０２との間の隙間が小さいものは湯水噴出口１０５ａ，１０５ｂの水流の阻害量が多く、コマ体１０２は、ゆっくりと回転した。逆にカバー部材１１０とコマ体１０２との間の隙間が大きいものは湯水噴出口１０５ａ，１０５ｂの水流の阻害量が少なく、コマ体１０２は、早く回転した。
【００１６】
以上の知見に基づいて開発された請求項１に記載の発明は、浴槽壁に固定され、浴槽内の湯を循環させる循環ポンプにより生じる循環流に依り浴槽内の湯に噴流を発生させる風呂用噴流ノズル装置であって、該噴流ノズル装置は、噴流を浴槽内に噴出する噴流孔を有する回転ノズル本体と、該回転ノズル本体の一部を遮蔽するカバー部とを備えており、該回転ノズル本体と該カバー部との距離を調整可能とする隙間調整手段を有することを特徴とする風呂用噴流ノズル装置である。
【００１７】
請求項１に記載の発明の風呂用噴流ノズル装置では、回転ノズル本体とカバー部との距離を調整可能とする隙間調整手段を有するので、噴流孔がカバー部を通過する際の噴流孔の閉鎖の度合いを変更することができる。すなわち、回転ノズル本体とカバー部の距離を狭めると、噴流孔がカバー部を通過する際に、噴流孔はカバー部によって閉鎖され、湯水が当該噴流孔から噴射されにくくなる。その結果、回転ノズル本体の回転速度が遅くなり、入浴者はもみ感覚が得られる。
また、回転ノズル本体とカバー部の距離を拡げると、噴流孔がカバー部を通過する際にも、引き続き多量の湯水が噴流孔から噴射される。そのため、回転ノズル本体の回転速度が速くなる。その結果、入浴者はたたき感覚が得られる。
【００１８】
カバー部には、回転ノズル本体が回転する際における噴流孔の移動軌跡、あるいは噴流孔の移動軌跡と重なる水流障害物があり、前記回転ノズル本体とカバー部との距離を調節することにより、前記噴流孔と水流障害物との距離を変更することができる（請求項２）。
【００１９】
請求項３に記載の発明は、回転ノズル本体を収容するノズル収容部を有し、回転ノズル本体は、ノズル収容部内にあって自由回転可能であり、カバー部には、回転ノズル本体の回転中心を保持する中心保持部があり、前記中心保持部が回転ノズル本体の回転中心軸方向に移動可能であることを特徴とする請求項１又は２に記載の風呂用噴流ノズル装置である。
【００２０】
請求項３に記載の発明の風呂用噴流ノズル装置では、回転ノズル本体を収容するノズル収容部を有し、回転ノズル本体は、ノズル収容部内にあって自由回転可能であるので、回転ノズル本体に回転軸及び、回転軸を支持する軸受を設ける必要がなく、構成を簡素化することができる。
また、回転ノズル本体の回転中心を保持する中心保持部が、回転ノズル本体の回転中心軸方向に移動可能であるので、回転ノズル本体に設けられた噴流孔とカバー部の間の距離を調整可能である。
【００２１】
請求項４に記載の発明は、カバー部は、カバー本体と、中心保持部材とがねじ構造により連結されており、ねじを回転することによって中心保持部材が直進移動することを特徴とする請求項１乃至３のいずれかに記載の風呂用噴流ノズル装置である。
【００２２】
請求項４に記載の発明の風呂用噴流ノズル装置では、カバー部は、カバー本体と、中心保持部材とがねじ構造により連結されており、ねじを回転することによって中心保持部材が直進移動するので、回転ノズル本体に設けられた噴流孔とカバー部の間の距離を容易に変更することができる。
【００２３】
請求項５に記載の発明は、請求項１乃至４のいずれかに記載の風呂用噴流ノズル装置が装着されたことを特徴とする風呂装置である。
【００２４】
請求項５に記載の発明の風呂装置は、湯水の噴射量及び回転ノズルの回転速度を変更し、入浴者の好みに応じて、もみ感やたたき感等を切り替えて付与することができる。
【発明の効果】
【００２５】
本発明の風呂用噴流ノズル装置は、回転ノズル本体とカバー部の距離を変更して、入浴者の好みに応じてもみ感やたたき感を付与することができる。また、本発明の風呂装置は、湯水の噴射量及び回転ノズルの回転速度を変更し、入浴者の好みに応じて、もみ感やたたき感等を切り替えて付与することができる。
【図面の簡単な説明】
【００２６】
【図１】本発明の実施形態の風呂用噴流ノズル装置の斜視図である。
【図２】本発明の実施形態の風呂装置の断面斜視図である。
【図３】図１の風呂用噴流ノズル装置の分解斜視図である。
【図４】図１の風呂用噴流ノズル装置の組立断面図であり、（ａ）は調整ねじのねじ込み量が多い場合を示し、（ｂ）は調整ねじのねじ込み量が少ない場合を示す。
【図５】図１の風呂用噴流ノズル装置の分解断面図である。
【図６】コマ体の湯水噴出口とコマ支持部の位置関係を示す平面視した断面図であり、（ａ）はコマ体とコマ支持部の距離が短く、コマ体の湯水噴出口とコマ支持部とが近接対向している状態を示し、（ｂ）はコマ体とコマ支持部の距離が長く、コマ体の湯水噴出口とコマ支持部とが近接対向している状態を示し、（ｃ）は（ｂ）の状態からコマ体が若干回転し、コマ体の湯水噴出口から噴射された湯水がコマ支持部に到達している状態を示す。
【図７】本発明の別の実施形態の風呂用噴流ノズル装置におけるカバー部材の正面側から見た分解斜視図である。
【図８】図７の風呂用噴流ノズル装置の背面側から見た斜視図である。
【図９】図７のカバー部材を備えた風呂用噴流ノズル装置の断面図であり、（ａ）はカバー部材のみを分解した断面図であり、（ｂ）はカバー部材を装着した状態の断面図であって、調整ねじのねじ込み量が少ない場合を示し、（ｃ）はカバー部材を装着した状態の断面図であって、調整ねじのねじ込み量が多い場合を示す。
【図１０】図１の風呂用噴流ノズル装置で採用するコマ体の正面図である。
【図１１】図１の風呂用噴流ノズル装置で採用するカバー部材のコマ支持部の正面図である。
【図１２】図１１のコマ支持部の正面図であり、回転ノズルの回転中心を通る直線に対して回転ノズルの回転方向側にある部位に網かけ表示をしたものである。
【図１３】図１１のコマ支持部の正面図であり、回転ノズルの回転中心を通る直線に対して回転ノズルの反回転方向側にある部位に網かけ表示をしたものである。
【図１４】（ａ）〜（ｈ）は、図１の風呂用噴流ノズル装置における回転ノズルの回転姿勢変化と、コマ支持部との関係を表した説明図である。
【図１５】図１の風呂用噴流ノズル装置を使用した際の、時間と、回転ノズルの回転姿勢、回転ノズルの回転速度、及び噴流の速度の関係を説明するグラフである。
【図１６】他の実施形態のコマ体の正面図である。
【図１７】さらに他の実施形態のコマ体の正面図である。
【図１８】さらに他の実施形態のコマ体の正面図である。
【図１９】他の実施形態のカバー部材とコマ体の正面図である。
【図２０】さらに他の実施形態のカバー部材とコマ体の正面図である。
【図２１】さらに他の実施形態のカバー部材とコマ体の正面図である。
【図２２】さらに他の実施形態のカバー部材とコマ体の正面図である。
【図２３】特許文献１に開示された風呂用噴流ノズル装置の斜視図である。
【図２４】特許文献１に開示された風呂用噴流ノズル装置の断面図である。
【図２５】特許文献１に開示された風呂用噴流ノズル装置の分解断面図である。
【図２６】特許文献１に開示された風呂用噴流ノズル装置のコマ体の正面図である。
【図２７】（ａ）〜（ｈ）は、図２３に示す従来技術の風呂用噴流ノズル装置における回転ノズルの回転姿勢変化と、コマ支持部との関係を表した説明図である。
【図２８】図２３に示す従来技術の風呂用噴流ノズル装置を使用した際の、時間と、回転ノズルの回転姿勢、回転ノズルの回転速度、及び噴射流の速度の関係を説明するグラフである。
【図２９】人体の背中の模式図である。
【図３０】背骨と回転ノズルの回転姿勢との関係を説明する説明図である。
【図３１】背骨と回転ノズルの回転姿勢との関係を説明する説明図である。
【発明を実施するための形態】
【００２７】
以下、図面を参照しながら本発明の実施形態について説明する。
本発明の実施形態の風呂用噴流ノズル装置１は、図２の様に、浴槽２の側壁３を貫通して取り付けられるものである。そして浴槽２の側面に取付けられた取水口アダプタ５から図示しない循環ポンプで浴槽２内の湯水を吸入し、加圧して風呂用噴流ノズル装置１から噴射される。
【００２８】
風呂用噴流ノズル装置１は、図１，図３〜図５に示すように、ノズル収容部材１０と、コマ体（回転ノズル）７１と、カバー部材７２、及び給水・給気部材１５を有している。
即ち風呂用噴流ノズル装置１は、図３、図４に示すように、浴槽２の側壁３の背面側に配置される給水・給気部材１５と、該給水・給気部材１５の正面側に取り付け固定されるノズル収容部材１０と、該ノズル収容部材１０内に収容されるコマ体７１と、コマ体７１をノズル収容部材１０内に保持しておくカバー部材７２とを備えている。
【００２９】
図３，図４（ａ）に示すように、給水・給気部材１５は、正面側が開口しかつ背面側が閉鎖された円筒状の外筒部２０と、該外筒部２０に同心状に配置されかつ外筒部２０よりも小径の内筒部２１と、内筒部２１に連通する湯水供給口管部２３と、外筒部２０と内筒部２１との間の空間２８に連通するように外筒部２０に設けられた空気供給口部２５とを備えて樹脂材料により一体成形されたものである。
外筒部２０の正面側端部にはフランジ部３２が設けられている。
湯水供給口管部２３は、外筒部２０の背面側に接続されていて内部の内筒部２１と連通している。湯水供給口管部２３と内筒部２１とはほぼ直角に接続されたエルボ管状を呈している。
また内筒部２１の内面には、オリフィス２６が着脱可能に内嵌されている。
【００３０】
ノズル収容部材１０は、コマ体７１の外周側を覆う円筒状の収容筒部３０を備えている。収容筒部３０の内側の空間は、ノズル収容部１８として機能する。ノズル収容部１８は、一方に向かって（浴槽内側）開放されている。
収容筒部３０は浴槽２の側壁３に設けられた取付孔１３に浴槽２の内面側から挿入され給水・給気部材１５の外筒部２０に螺着されている。また、ノズル収容部材１０は、収容筒部３０の正面側端部に設けられたフランジ部３１を備えている。
そしてノズル収容部材１０のフランジ部３１と、前記した給水・給気部材１５のフランジ部３２によって側壁３をパッキン３３を介して挟持され、風呂用噴流ノズル装置１が側壁３に取付固定されている。
【００３１】
収容筒部３０の背面側端部には、中央部にオリフィス２６よりも大径でかつオリフィス２６に対して同心状の流通孔を有する受け部２７が設けられている。該受け部２７と前記オリフィス２６との間には空気導入用の空間２８が形成されており、オリフィス２６からノズル収容部材１０内に噴射される湯水噴流の負圧によって、空気供給口部２５から供給される空気を外筒部２０と内筒部２１との間の空気導入用の空間２８を介して引き込み、空気が混合された混合噴流として噴射し得るように構成されている。
【００３２】
コマ体７１は、全体として円錐台形状を呈し、ノズル収容部材１０の収容筒部３０内（ノズル収容部１８内）に回転自在に収容されているとともに、オリフィス２６に対して同心状に設けられている。コマ体７１の背面には、オリフィス２６から噴射される噴流が導入される円錐状の凹部３５が形成されている。また、コマ体７１には、図１０にも示すように背面側から正面側に連通する噴流孔１６が設けられている。
【００３３】
即ちコマ体７１の正面側（浴槽２に向かう側）には、湯水噴出口３８ａ，３８ｂが設けられている。
一方、前記した背面側の凹部３５（図４（ａ））には、図１０の様に湯水導入口４０ａ，４０ｂが設けられている。そして両者は、湯水通過流路４１ａ，４１ｂで結ばれている。即ち、湯水導入口４０ａと湯水噴出口３８ａとが湯水通過流路４１ａで結ばれている。また湯水導入口４０ｂと湯水噴出口３８ｂとが湯水通過流路４１ｂで結ばれている。
【００３４】
ここで、湯水導入口４０ａと湯水噴出口３８ａとは、浴槽２内側から見てずれた位置にあり、湯水通過流路４１ａは傾斜している。
湯水導入口４０ｂと湯水噴出口３８ｂについても同様であり、浴槽２内側から見てずれた位置にあり、湯水通過流路４１ｂは傾斜している。
即ち湯水噴出口３８ａ，３８ｂは、湯水導入口４０ａ，４０ｂに対して反時計回り方向にずれていて、湯水通過流路４１ａ，４１ｂは、背面側から正面側に向かうにつれて反時計回り方向に変位している。
【００３５】
また本実施形態は、湯水噴出口３８ａ，３８ｂは、コマ体７１の軸心回りに約９０度の位置にある。即ち一方の湯水噴出口３８ａと、コマ体７１の回転中心と、他方の湯水噴出口３８ｂのなす角度（小さい側）は、９０度である。
すなわち、二つの湯水噴出口３８ａ，３８ｂの角度間隔、即ち、湯水噴出口３８ａと、コマ体７１の回転中心と、他方の湯水噴出口３８ｂがなす角度θａは、９０度であり、逆方向の角度θｂは、２７０度である。従って、二つの湯水噴出口３８ａ，３８ｂの間隔は、浴槽２内側から見て偏っている。即ち、二つの湯水噴出口３８ａ，３８ｂは、一部の領域に偏って設けられている。
【００３６】
背面側の湯水導入口４０ａ，４０ｂ及び、内部の湯水通過流路４１ａ，４１ｂについても、二つの湯水噴出口３８ａ，３８ｂに準じた位置に偏在している。
【００３７】
コマ体７１の背面はノズル収容部材１０の受け部２７によって背面側から当接支持されているとともに、受け部２７の内周縁は正面側に突設されていて該突設部分が前記凹部３５に内嵌されている。また、コマ体７１の正面の軸心部には凹部６ｂが形成されている。
【００３８】
カバー部材７２は、図３に示す様に、ノズル収容部材１０のノズル収容部１８の正面側端部に装着される円環状の取付リング部４５と、該取付リング部４５に直径方向に架設された棒状のコマ支持部４６とを備えて樹脂材料により一体成形されており、取付リング部４５とコマ支持部４６との間の二つの開口部４８が、噴流の湯水噴出口となる。
【００３９】
本実施形態において、カバー部材７２のコマ支持部４６は、図１１に示す様に、特異な形をしている。即ちコマ支持部４６は、正面視が分銅状である。より詳細に説明すると、コマ支持部４６の取付リング部４５との接合部分は、他の部位よりも幅が広く、中心部の幅は狭い。そして両者の側面は、円弧部５１と直線部５２で結ばれている。
本実施形態において、カバー部材７２は、いわゆるバヨネット構造でノズル収容部材１０に取り付けられており、回転方向の取り付け姿勢は任意である。
しかしながら、本実施形態においては、コマ支持部４６の中心軸５３を、コマ体７１の回転中心を通る鉛直方向中心軸５４に対して僅かに傾斜した姿勢で固定されている。
【００４０】
即ち図１１，１２，１３の様に、コマ支持部４６の中心軸５３は、コマ体７１の回転中心を通る鉛直方向中心軸５４に対して２度から１０度程度、時計回り方向に傾斜している。
そのためコマ支持部４６は、回転ノズル（コマ体７１）の回転中心を通る鉛直方向中心軸５４に対して回転ノズル（コマ体７１）の回転方向に広く、回転ノズルの反回転方向に狭いものとなっている（図１２，図１３）。
【００４１】
本実施形態において、カバー部材７２は、コマ体７１の脱落を防止する機能と、コマ体７１の回転中心を支持する機能を有するものであるが、さらに、水流を妨害する水流障害物としても機能する。
即ちコマ支持部４６の中心領域Ｃ（図１１）が、コマ体７１の回転中心を支持する軸受部として機能し、その他の領域Ａ，Ｂが、水流障害物として機能する。即ち本実施形態では、カバー部材７２は、水流障害物Ａと水流障害物Ｂを有し、両者はコマ体７１の回転中心を通る同一直線上に配されている。そのため本実施形態では、水流障害物Ａと水流障害物Ｂは均等に配されている。
なおカバー部材７２は、湯水噴出口３８ａ，３８ｂの浴槽２側にある。即ち本実施形態では、水流障害物Ａと水流障害物Ｂはいずれも湯水噴出口３８ａ，３８ｂの浴槽２側にある。
【００４２】
図３に示す様に、カバー部材７２のコマ支持部４６の中央（図１１に示す中心領域Ｃ）には、ねじ孔７４が設けられている。ねじ孔７４には調整ねじ７３が螺合している。
【００４３】
調整ねじ７３は、ねじの先端に先端部７３ａを有する。調整ねじ７３は、図４（ａ）や図４（ｂ）に示す様に、カバー部材７２のねじ孔７４に螺合し、正面側から背面側にカバー部材７２を貫通し、先端部７３ａがカバー部材７２の背面側に突出している。
【００４４】
そして、調整ねじ７３の先端部７３ａは、コマ体７１の凹部６ｂに係合している。すなわち、コマ体７１の正面側の凹部６ｂが、調整ねじ７３の先端部７３ａと係合して、コマ体７１が調整ねじ７３で支持されている。
【００４５】
カバー部材７２からコマ体７１までの距離は、調整ねじ７３のねじ孔７４に対するねじ込み量によって変化する。すなわち、ねじ込み量が多いと、図４（ａ）に示す様に、調整ねじ７３の突出量が増加して、カバー部材７２からコマ体７１までの距離は距離Ｌ２となる。また、ねじ込み量が少ないと、図４（ｂ）に示す様に、調整ねじ７３の突出量が減少し、距離Ｌ１となる。この距離Ｌ１，Ｌ２は、カバー部材７２とコマ体７１の間の隙間である。
【００４６】
以下、カバー部材７２からコマ体７１までの距離を、距離Ｌ１に設定した場合と、距離Ｌ２に設定した場合とを順に説明する。
【００４７】
図４（ｂ）に示す様に、調整ねじ７３のねじ込みが浅く、カバー部材７２からコマ体７１までの距離を距離Ｌ１に設定する。すなわち、カバー部材７２とコマ体７１とを近接させた状態における上記風呂用噴流ノズル装置１の動作について説明すると、図示しない循環ポンプを作動させることで給水・給気部材１５の湯水供給口管部２３に供給された所定流量の湯水は、オリフィス２６で所定圧力となってコマ体７１の背面側の凹部３５内に吐出される。このとき、空気供給口部２５から外筒部２０と内筒部２１との間の空間２８に供給される空気と混合されて混合噴流となり、この混合噴流がさらにコマ体７１の噴流孔１６を通って浴槽２内に噴射される。
【００４８】
ここで、コマ体７１の背面側には、オリフィス２６から噴射される湯水の噴流が供給されるので、コマ体７１は、噴流によって正面側へ押圧される。そして、正面側に設けられた凹部６ｂが、調整ねじ７３の先端部７３ａに当接し、コマ体７１は、調整ねじ７３に支持される。図４（ｂ）に示す例では、コマ体７１は受け部２７に当接していないが、コマ体７１の背面側には噴流が供給されており、コマ体７１は噴流によって正面側へ押圧されている。そのため、コマ体７１の正面側に設けられた凹部６ｂが調整ねじ７３の先端部７３ａに当接し、コマ体７１は調整ねじ７３によって回転可能に支持される。
【００４９】
この時、噴流孔１６は、図１０に示す様に、背面側の開口である湯水導入口４０ａ，４０ｂと正面側の開口である湯水噴出口３８ａ，３８ｂの開口位置が周方向にずれており、コマ体７１の表面（正面）に対してひねりを設けているので、噴流孔１６を湯水が通過して浴槽２内に噴射されると、その噴射の反力によってコマ体７１を回転させるモーメントが作用する。そのためコマ体７１が回転しつつ、湯水噴出口３８ａ，３８ｂから湯水が浴槽２内に噴射される。即ち湯水通過流路４１ａ，４１ｂが傾斜しているので、水流が湯水通過流路４１ａ，４１ｂを通過する際にコマ体７１を回転させるモーメントを発生させる。また湯水は、湯水噴出口３８ａ，３８ｂから斜め方向に向かって噴射されるので、その反力によってもコマ体７１が回転する。
コマ体７１（回転ノズル）の回転に応じて湯水噴出口３８ａ，３８ｂがカバー部材７２の水流障害物Ａと水流障害物Ｂに周期的に近接する。
【００５０】
図６（ａ）に示す様に、コマ支持部４６からコマ体７１までの距離が距離Ｌ１の場合には、湯水噴出口３８ａ（３８ｂ）がコマ支持部４６（カバー本体）に近接対向した際に、湯水７の噴射量が少なくなり、このときコマ体７１の回転速度が低下する。その結果、入浴者（背中１２１）は、コマ支持部４６と対向していない別の湯水噴出口３８ｂ（３８ａ）から噴射された湯水によってもみ感を覚える。
【００５１】
次に、図４（ａ）に示す様に、調整ねじ７３のねじ込みが深く、カバー部材７２からコマ体７１までの距離を距離Ｌ２に設定する。すなわち、カバー部材７２とコマ体７１とを離間させた状態における上記風呂用噴流ノズル装置１の動作について説明すると、図示しない循環ポンプを作動させることで給水・給気部材１５の湯水供給口管部２３に供給された所定流量の湯水は、オリフィス２６で所定圧力となってコマ体７１の背面側の凹部３５内に吐出される。このとき、空気供給口部２５から外筒部２０と内筒部２１との間の空間２８に供給される空気と混合されて混合噴流となり、この混合噴流がさらにコマ体７１の噴流孔１６を通って浴槽２内に噴射される。
【００５２】
ここで、コマ体７１が回転し、湯水噴出口３８ａ又は３８ｂが、図６（ｂ）に示す様に対向したとき、湯水８は、コマ支持部４６にほとんど邪魔されることなく湯水噴出口３８ａ（３８ｂ）から噴射される。そのため、コマ体７１の回転速度は低下しない。その結果、入浴者（背中１２１）は、たたき感を覚える。
【００５３】
また、図６（ｂ）に示す状態から微小時間が経過した図６（ｃ）に示す状態では、噴射された湯水９がコマ支持部４６に当たるが、湯水９は円滑に流れるため、噴射量はほとんど変化しない。そのため、コマ体７１の回転速度は低下しない。すなわち、コマ体７１がどのような回転角度位置であっても、コマ体７１の回転速度が低下することがない。
【００５４】
カバー部材７２（コマ支持部４６）からコマ体７１までの距離Ｌ１及びＬ２を任意に調整することができる風呂用噴流ノズル装置１の別の実施形態を図７〜図９を参照しながら説明する。
【００５５】
図７、図８は、風呂用噴流ノズル装置８０のカバー部材８２の分解斜視図である。カバー部材８２は、図３に示すカバー部材７２において、コマ支持部４６の構造が相違しており、その他の構造は、カバー部材７２の構造と同じである。
【００５６】
図８に示す様に、カバー部材８２のコマ支持部４６の中央には、幅が円弧状に拡がる拡幅部８１が設けられている。拡幅部８１には、正面側から背面側へ貫通する孔８４が設けられている。孔８４の内壁には、中心方向に突出する突条８５が設けられている。突条８５は、孔８４の内壁の正面側から背面側にかけてのびている。
【００５７】
また、拡幅部８１の正面側の面には、図７に示す様に、環状係合部８７が設けられている。環状係合部８７は、起立部８８と内向きフランジ部８９とで構成されている。起立部８８は、孔８４と同心の環状構造を有する筒状の部位であり、拡幅部８１の正面側の面上に一体固着されている。
【００５８】
内向きフランジ部８９は、平板状で環状の部位であり、起立部８８の自由端側と直交して連続している。そのため、環状係合部８７の横断面は、略Ｌ字形を呈している。図７に示す様に、内向きフランジ部８９は、内周側に孔８９ａを有し、さらに拡幅部８１の正面側の面と対向する内面９０を有する。
【００５９】
カバー部材８２には、調整ねじ８３（隙間調整手段）と押圧部材９３（中心保持部）が係合する。
【００６０】
調整ねじ８３は、ねじ部８３ａとフック９１ａ、９１ｂを有する。フック９１ａ、９１ｂは、ねじ部８３ａを挟んで両側に配置されている。フック９１ａ、９１ｂの基端部分は、調整ねじ８３の頭部８３ｂに一体固着されており、フック９１ａ、９１ｂは、ねじ部８３ａと同方向にのびている。フック９１ａ、９１ｂの自由端部分（先端）には、係合部９２ａ、９２ｂが設けられている。係合部９２ａ、９２ｂは、ねじ部８３ａとは反対側へ出っ張っている。
【００６１】
フック９１ａ、９１ｂは、樹脂材等の弾性を有する素材で構成されており、外側からねじ部８３ａ側（内側）へ押圧されると、先端の係合部９２ａ、９２ｂがねじ部８３ａに接近し、押圧が解除されると、元の姿勢に戻る。
【００６２】
押圧部材９３は、有底の筒状の部材である。すなわち、押圧部材９３の一端には開口９３ａが設けられており、他端側は底部９７によって閉じられている。図８に示す様に、押圧部材９３には雌ねじ部９５が設けられている。雌ねじ部９５は、押圧部材９３の中心に設けられた有底のねじ穴である。図８に示す様に、底部９７の中央には、突出部９６が設けられている。また、押圧部材９３の円筒側壁には、開口９３ａ側から底部９７側へのびる溝９４が形成されている。
【００６３】
次に、カバー部材８２、調整ねじ８３、押圧部材９３の関係を説明する。
【００６４】
カバー部材８２の正面側に調整ねじ８３が配置されている。調整ねじ８３のねじ部８３ａが孔８４内に入り、フック９１ａ、９１ｂが環状係合部８７の孔８９ａを通過する際に、フック９１ａ、９１ｂの係合部９２ａ、９２ｂが孔８９ａの内壁に押圧され、フック９１ａ、９１ｂがねじ部８３ａ側へ撓む。そして、係合部９２ａ、９２ｂが孔８９ａを通過すると、係合部９２ａ、９２ｂの押圧が解除され、フック９１ａ、９１ｂが真っ直ぐな元の姿勢に戻る。そのため、係合部９２ａ、９２ｂが、環状係合部８７の内向きフランジ部８９の内面９０に係合し、調整ねじ８３がカバー部材８２から外れなくなる。調整ねじ８３は、フック９１ａ、９１ｂが、環状係合部８７に係合した状態を保ちながら回転可能である。
【００６５】
また、押圧部材９３は、開口９３ａが正面側に配置され、底部９７が背面側に配置された状態でカバー部材８２の孔８４内に収容されている。押圧部材９３の溝９４は、孔８４の内壁に設けられた突条８５に係合している。そのため、押圧部材９３は、孔８４内で回転不能であるが、孔８４に沿って正面側と背面側を結ぶ方向にスライド移動が可能である。
【００６６】
図９（ｂ）、図９（ｃ）に示す様に、調整ねじ８３のねじ部８３ａと、押圧部材９３の雌ねじ部９５は、螺合している。
【００６７】
図９（ｂ）、図９（ｃ）に示す様に、押圧部材９３の底部９７に設けられた突出部９６は、コマ体７１の凹部６ｂに係合している。突出部９６の符合と凹部６ｂの符合は、図６（ａ）に付す。
【００６８】
そして、図９（ｂ）に示す様に、調整ねじ８３の押圧部材９３（雌ねじ部９５）に対するねじ込み量が少ない場合には、コマ体７１からカバー部材７２までの距離は長くなり、距離Ｌ２となる。また、図９（ｃ）に示す様に、調整ねじ８３の押圧部材９３（雌ねじ部９５）に対するねじ込み量が多い場合には、コマ体７１からカバー部材７２までの距離は短くなり、距離Ｌ１となる。
【００６９】
ここで、図９（ｃ）に示す場合には、コマ体７１がノズル収容部材１０の受け部２７から離れているが、コマ体７１の背面側には、オリフィス２６から湯水の噴流が供給されるので、コマ体７１は正面側へ押圧され、凹部６ｂが押圧部材９３の突出部９６に押圧支持されている。そして、コマ体７１は、噴流の供給を受けて安定して回転駆動される。
【００７０】
以上説明した実施形態では、湯水噴出口３８ａ，３８ｂを偏在させ、一部の領域に湯水噴出口３８ａ，３８ｂを集めた。この構成は、推奨される構成であるが、特許文献１に開示された風呂用噴流ノズル装置のような直線的な配置にすることもできる。すなわち、湯水噴出口３８ａ、３８ｂを、コマ体７１の回転中心（凹部６ｂ）を挟んで反対側に配置することもできる。
しかしながら、特許文献１に開示された風呂用噴流ノズル装置のような直線的な配置にすると、コマ体７１の回転速度が安定せず、回転ムラが生じる場合がある。そのため本実施形態の様に湯水噴出口３８ａ，３８ｂを偏在させることが望ましい。
【００７１】
以下、この理由について説明する。
前記した様に、特許文献１に開示された風呂用噴流ノズル装置１００を使用してみると、コマ体１０２の回転速度（自転速度）は一様ではなく、回転角度によって変化することが分かった。またこの変化は、使用目的に反するものであるものであった。
即ちジェットバスの使用者が希望するのは、背中の筋肉や筋をほぐすことである。
ここで、人の背中は、図２９の様に背骨１２０があり、その周囲に筋肉や筋が走っている。マッサージ師は、背骨１２０の周囲を丹念にもみほぐすこととなる。従って、湯水噴出口１０５ａ，１０５ｂの位置が、図３０の二点鎖線の円１２１の様に背骨１２０を外れた位置（背中）にある時に、回転速度が遅いことが望ましい。
逆に図３１の様に湯水噴出口１０５ａ，１０５ｂの位置が、二点鎖線の円１２１の様に、背骨１２０にかかる位置にある時に、回転速度が早いことが望ましい。
ところが、実際に実験したところ、図３０の様な湯水噴出口１０５ａ，１０５ｂの位置が、背骨１２０を外れた位置にある時に、コマ体１０２の回転速度が速く、図３１の様に背骨１２０に掛かる位置の際にはコマ体１０２の回転速度が遅いものとなっていた。
【００７２】
この理由を検討したところ、湯水噴出口１０５ａ，１０５ｂのレイアウトと、カバー部材１１０のコマ支持部１１２のレイアウトの関係に起因するものであることが判った。
即ち、特許文献１に開示された風呂用噴流ノズル装置１００は、湯水を斜め方向に噴射することによってコマ体１０２に回転力を付与している。従って、湯水の噴射量が多い場合にはコマ体１０２は速く回り、湯水の噴射量が少ない場合にはコマ体１０２の回転速度は遅い。
【００７３】
これに対して、特許文献１に開示された風呂用噴流ノズル装置１００では、コマ体１０２の前にカバー部材１１０があり、コマ体１０２が回転する際に、湯水噴出口１０５ａ，１０５ｂがカバー部材１１０のコマ支持部１１２の後ろを通過する。その際に、湯水噴出口１０５ａ，１０５ｂからの水流が阻害され、コマ体１０２を回転させるモーメントが一時的に低下する。従って、湯水噴出口１０５ａ，１０５ｂがカバー部材１１０のコマ支持部１１２の後ろを通過する際、コマ体１０２はゆっくりと回り、コマ支持部１１２を離れるとコマ体１０２の回転速度が早くなる。
【００７４】
特に特許文献１に開示された風呂用噴流ノズル装置１００では、湯水噴出口１０５ａと湯水噴出口１０５ｂは、コマ体１０２の回転中心を通過する同一直線上にあり、カバー部材１１０についても、コマ体１０２の回転中心を通過する直線に沿っている。
そのため特許文献１に開示された風呂用噴流ノズル装置１００では、二つの湯水噴出口１０５ａと湯水噴出口１０５ｂが、同時にコマ支持部１１２に塞がれる。また特許文献１に開示された風呂用噴流ノズル装置１００では、二つの湯水噴出口１０５ａと湯水噴出口１０５ｂが、同時にコマ支持部１１２から開放される。
そのため特許文献１に開示された風呂用噴流ノズル装置１００では、コマ体１０２が速く回る際の回転速度と、遅く回る際の回転速度の差が大きい。
【００７５】
即ち特許文献１に開示された風呂用噴流ノズル装置１００は、コマ体１０２が図２７（ａ）から（ｈ）の様に時計方向に回転する。そして、図２７（ｂ）のタイミングと、図２７（ｆ）のタイミングのとき、二つの湯水噴出口１０５ａと湯水噴出口１０５ｂが、同時にコマ支持部１１２に塞がれる。従って、この前後の回転位置の際には、湯水噴出口１０５ａと湯水噴出口１０５ｂから噴射される湯水の量は極めて少ないものとなり、この間、コマ体１０２は主として惰性で回転するに過ぎない。
【００７６】
そのため、図２８のグラフに示す様に、コマ体１０２の回転速度は、湯水噴出口１０５ａ，１０５ｂとコマ支持部１１２の相対位置によって大きく変わり、湯水噴出口１０５ａ，１０５ｂがカバー部材１１０のコマ支持部１１２の後ろを通過するのに要する時間が長く掛かる。
【００７７】
これに対して、図２７（ｄ）のタイミングと、図２７（ｈ）のタイミングのときは、二つの湯水噴出口１０５ａと湯水噴出口１０５ｂが、共にコマ支持部１１２から開放される。
そのため、この前後の回転姿勢の際には、湯水噴出口１０５ａと湯水噴出口１０５ｂから噴射される湯水の量が極めて多くなり、この間、コマ体１０２に大きな回転モーメントが掛かって速く回転する。
【００７８】
そのため、図２８のグラフに示す様に、湯水噴出口１０５ａ，１０５ｂが横に並んだ回転姿勢の状態は、短時間で終わってしまう。
【００７９】
これに対して本実施形態の風呂用噴流ノズル装置１では、コマ体７１に設けられた湯水噴出口３８ａ，３８ｂの位置は、コマ体７１の回転中心を通過する同一直線上に配置されていない。即ち湯水噴出口３８ａ，３８ｂは、浴槽内側から見て回転方向に不均一に分布している。
【００８０】
これに対して、水流障害物となるカバー部材７２のコマ支持部４６は、直線状であり、水流障害物Ａ，Ｂは、円周上に均等に分布している。従って、コマ体７１の回転位置がどの様な角度であったとしても、二つの湯水噴出口３８ａ，３８ｂが同時に水流障害物Ａ，Ｂに覆われることはない。
【００８１】
そのため、コマ体７１の回転姿勢がどの様な角度であったとしても、最低限の回転モーメントは確保される。
即ち、コマ体７１とコマ支持部４６の水流障害物Ａ，Ｂとの相対位置関係は、図１４の模式図で表した様に刻々と変化し、湯水噴出口３８ａ，３８ｂはカバー部材７２の水流障害物Ａと水流障害物Ｂに間欠的に近接する。
【００８２】
即ち、コマ体７１とコマ支持部４６の水流障害物Ａ，Ｂとの相対位置関係は、図１４（ａ）の様に、二つの湯水噴出口３８ａ，３８ｂがコマ支持部４６の上部側の水流障害物Ａを挟んで対峙する回転姿勢であると仮定する。この回転姿勢においては、二つの湯水噴出口３８ａ，３８ｂから回転推力が得られるから、コマ体７１は図１５に示す様に、フルスピードで回転することとなる。
そして回転が進むと、同（ｂ）の様に、先行する湯水噴出口３８ｂが、開口領域の中心側に移動し、後方の湯水噴出口３８ａが、水流障害物Ａの背面側に回りこむ状態となる。
【００８３】
図１４（ｂ）の状態においては、後方の湯水噴出口３８ａが水流障害物Ａによって塞がれ、先行する湯水噴出口３８ｂだけから湯水が吐出されるから、コマ体７１に掛かる推力が減少し、コマ体７１は、ゆっくりと回転することとなる。
即ち図１５の様に、コマ体７１の回転速度（角度）は、図１４（ａ）の状態から同（ｂ）の状態に至る間に次第に降下する。
【００８４】
従って、コマ体７１の回転角度位置が、図１４（ａ）の状態から同（ｂ）の状態に至るまでの時間は、従来技術のそれよりも長く掛かる。
一方、湯水噴出口３８ａが水流障害物Ａによって塞がれ、先行する湯水噴出口３８ｂだけから湯水が吐出されるから、先行する湯水噴出口３８ｂから噴射される湯水の噴射速度は増加する。
【００８５】
そしてコマ体７１の回転がさらに進むと、後方の湯水噴出口３８ａが次第にコマ支持部４６の水流障害物Ａを離れ、ついには、図１４（ｃ）の様に、二つの湯水噴出口３８ａ，３８ｂが共に、カバー部材７２の開口部４８の位置に至る。この回転姿勢においては、二つの湯水噴出口３８ａ，３８ｂから回転推力が得られるから、コマ体７１は図１５に示す様に、フルスピードで回転することとなる。
しかしながら、フルスピードに達するまでには時間を要するから、図１４（ｂ）の状態から同（ｃ）の状態に至るまでの時間は、従来技術のそれよりも長く掛かる。
【００８６】
さらに回転が進むと、図１４（ｄ）の様に、先行する湯水噴出口３８ｂがコマ支持部４６の下方の水流障害物Ｂの裏に回り込むから、コマ体７１に掛かる推力が減少し、コマ体７１は、ゆっくりと回転することとなる。
この状態は、前記した図１４（ａ）の状態から同（ｂ）の状態に至るまでの状況と略同一である。
【００８７】
以後、回転姿勢は、図１４（ｄ）から同（ｅ）（ｆ）（ｇ）・・・と進むが、いずれの場合も二つの湯水噴出口３８ａ，３８ｂが同時にコマ支持部４６の水流障害物Ａ，Ｂに覆われることはない。
また湯水噴出口３８ａ，３８ｂから噴射される流速が増加する回転姿勢の際に、むしろコマ体７１の回転速度が低下する。すなわち、図６（ａ）に示す様に、湯水噴出口３８ａ（３８ｂ）がコマ支持部４６にほとんど塞がれ、噴射される湯水７の量が制限される。そのため、コマ体７１の回転速度は低下する。
【００８８】
また本実施形態では、コマ支持部４６が略垂直姿勢であり、背骨１２０（図３１）の方向に沿っているから、背骨１２０に直接噴流が当たることが少ない。そのため、背骨１２０の両側の筋肉や筋が押圧されるから、使用者は心地よい気持ちとなる。
【００８９】
なお、本実施形態では、コマ支持部４６の中心軸５３を、コマ体７１の回転中心を通る鉛直方向中心軸５４に対して僅かに傾斜した姿勢で固定した。この理由は、背骨１２０の周囲の筋肉等に、より長く水流を当てるためである。
即ちコマ体７１から噴射される水流は、浴槽２の内壁に対して斜め方向に噴射される。
仮に、コマ支持部４６の位置に背骨１２０があったと仮定すると、回転姿勢が図１４（ｃ），図１４（ｇ）の状態では、噴流は背骨から離れた位置に当たる。そして回転が進むと、噴流による押圧は、背骨１２０を離れた位置から、背骨１２０に近い位置に移り、あたかも、背骨近傍の筋がもみあげられる状態となる。
ここで、有能なマッサージ師は、背骨１２０の側面を強く押して、次の箇所に移る。
本実施形態は、このマッサージ手順を実現するものであり、コマ支持部４６の中心軸５３が、コマ体７１の回転中心を通る鉛直方向中心軸５４に対して僅かに傾斜した姿勢であるから、背骨１２０の近傍がより長く押圧される。
【００９０】
上記した実施形態では、二つの湯水噴出口３８ａ，３８ｂのなす角度を９０度としたが、この角度は厳密なものではない。
両者の角度は、１８０度以外であればよい。推奨される角度は、６０度から１００度である。
即ち図１６の様に、二つの湯水噴出口３８ａ，３８ｂの成す角度には、小さい側の角度θａと、大きい側の角度θｂがあるが、小さいほうの角度θａは、１００度以下であることが望ましい。
【００９１】
また本実施形態では、一つの領域に二つの湯水噴出口３８ａ，３８ｂを設けたが、対向する領域の一定範囲内に二つの湯水噴出口３８ａ，３８ｂを設けてもよい。例えば、図１７の様に、一つの湯水噴出口３８ａと回転中心を結ぶ直線と、回転中心を通り、前記した直線と直交する直線を想定し、二つの直線によって、コマ体７１の表面を４つの領域Ａ，Ｂ，Ｃ，Ｄに区分する。
先に示した実施形態は、一つの領域の境界部分に二つの湯水噴出口３８ａ，３８ｂを配したものであると言える。
これに対して、図１７の様に、一つの領域の境界と、これら以外の領域の内部に二つの湯水噴出口３８ａ，３８ｂを設けてもよい。この場合においても、図１７から明らかな様に、二つの湯水噴出口３８ａ，３８ｂが同時に水流障害物たるコマ支持部４６に覆われることはない。
【００９２】
対向する領域の一定範囲内に二つの湯水噴出口３８ａ，３８ｂを設ける場合には、二つの湯水噴出口３８ａ，３８ｂの成す角度θａは、１００度以上であることが望ましい。
【００９３】
また図１８の様に、一つの領域に２個以上の湯水噴出口３８ａを設けてもよい。
【００９４】
また前記した実施形態では、湯水噴出口３８ａの分布を不均一にしたが、他の部位を不均一にしても、同様の作用効果が期待できる。
図１９は、コマ支持部５５の一部に曲部５６を設け、水流障害物の配置を浴槽内側から見て不均一に分布させたものである。
本実施形態によっても、二つの湯水噴出口３８ａ，３８ｂが同時に水流障害物たるコマ支持部５５に覆われることはない。
【００９５】
また図２０、図２１に示す様に、水流障害物の形状や大きさを異ならせることによってこれを不均一に分布させるものであってもよい。
図２０に示すカバー部材６０は、直線状のコマ支持部６１を有するものであるが、上方に位置する水流障害物Ａの幅は狭く、下方に位置する水流障害物Ｂは幅が広い。
【００９６】
また図２１に示すカバー部材６５は、３片の水流障害物Ａ，Ｂ，Ｃを有するものである。即ち、図２１に示すカバー部材６５は、３片の水流障害物Ａ，Ｂ，Ｃが等角に配置され、中央で結合されている。そして、３片の水流障害物Ａ，Ｂ，Ｃには、幅が異なるものが混在している。より具体的には、垂直姿勢に配された水流障害物Ａは、他の２片に比べて幅が狭い。
【００９７】
また上記した実施形態では、湯水噴出口３８ａ，３８ｂは、いずれも真円であったが、楕円形や四角形等の他の形状であってもよい。即ち、長径と短径を有するものであってもよい。
ここで、図２２に示す様な楕円形の湯水噴出口６６ａ，６６ｂを採用する場合には、コマ体７１の回転方向が短径となる様に設計することが望ましい。
即ちコマ体７１の回転方向が短径となる様に設計すると、湯水噴出口が水流障害物によって閉塞されることとなる角度領域が狭くなり、コマ体７１の回転速度のムラが小さくなる。
【００９８】
以上、湯水噴出口３８ａ，６６ａを不均一に配置する具体例と、水流障害物Ａ，Ｂ，Ｃを不均一に配置する具体例を示したが、湯水導入口側に水流障害物を設け、湯水導入口を不均一に配置しても、コマ体７１の回転ムラを少なくする効果が期待できる。
【００９９】
以上、説明した実施形態では、コマ体７１の表面側（浴槽に向かう側）に湯水噴出口３８ａ，３８ｂが２個設けられ、コマ体７１の背面側に湯水導入口４０ａ，４０ｂが２個設けられた構成を例示した。即ち前記した実施形態では、湯水噴出口３８ａ，３８ｂの個数と、湯水導入口４０ａ，４０ｂの個数が等しく、両者の間をそれぞれ独立した湯水通過流路４１ａ，４１ｂで結んでいる。
しかしながら本発明は、この構成に限定されるものではなく、両者の個数が異なっていてもよい。即ち共通の湯水導入口を設けて湯水を導入し、コマ体７１内部に分岐路を設けて複数の湯水噴出口から噴射させる構成を採用してもよい。
【０１００】
以上説明した  風呂用噴流ノズル装置１，８０によると、カバー部材６０等とコマ体７１との距離を任意に調整することができ、コマ体７１の回転速度を変更することができるから、需要者は、好みの使用感を選択することができる。
そのため入浴者の好みに応じて、入浴者自身が調整ねじ７３等のねじ込み量を変更することにより、湯水噴出口３８ａ、３８ｂから噴射される湯水の噴射速度や、コマ体７１等の回転速度を調整することができ、もみ感やたたき感を得ることができる。
【符号の説明】
【０１０１】
１    風呂用噴流ノズル装置
２    浴槽
３    側壁（浴槽壁）
１０  ノズル収容部材
１８  ノズル収容部
２５  空気供給口部
３８ａ，３８ｂ  湯水噴出口
４０ａ，４０ｂ  湯水導入口
４１ａ，４１ｂ  湯水通過流路
４６  コマ支持部（カバー本体）
７１  コマ体（回転ノズル本体）
７２  カバー部材（カバー部）
７３，８３  調整ねじ（隙間調整手段）
７４  カバー部材のねじ孔
８０  風呂用噴流ノズル装置
９３  押圧部材（中心保持部）
【図１】
2014188226.tif 000003
【図２】
2014188226.tif 000004
【図３】
2014188226.tif 000005
【図４】
2014188226.tif 000006
【図５】
2014188226.tif 000007
【図６】
2014188226.tif 000008
【図７】
2014188226.tif 000009
【図８】
2014188226.tif 000010
【図９】
2014188226.tif 000011
【図１０】
2014188226.tif 000012
【図１１】
2014188226.tif 000013
【図１２】
2014188226.tif 000014
【図１３】
2014188226.tif 000015
【図１４】
2014188226.tif 000016
【図１５】
2014188226.tif 000017
【図１６】
2014188226.tif 000018
【図１７】
2014188226.tif 000019
【図１８】
2014188226.tif 000020
【図１９】
2014188226.tif 000021
【図２０】
2014188226.tif 000022
【図２１】
2014188226.tif 000023
【図２２】
2014188226.tif 000024
【図２３】
2014188226.tif 000025
【図２４】
2014188226.tif 000026
【図２５】
2014188226.tif 000027
【図２６】
2014188226.tif 000028
【図２７】
2014188226.tif 000029
【図２８】
2014188226.tif 000030
【図２９】
2014188226.tif 000031
【図３０】
2014188226.tif 000032
【図３１】
2014188226.tif 000033